(57)【要約】【課題】反射型の表示装置と発光型の表示装置とが組み合わされており、継ぎ目が目立たずに、かつ表示性能の低下も少ない情報表示モジュールを提供する。【解決手段】反射性を有する発光型の表示装置１０と、自ら発光しない表示装置３０と、を含む情報表示モジュールであって、当該情報表示モジュールの視方向全面に直線偏光板であるカバー５０が配置されていることを特徴とする情報表示モジュール。【選択図】図５
2008089682.tif 000002
【特許請求の範囲】
【請求項１】
反射性を有する発光型の表示装置と、自ら発光しない表示装置と、を含む情報表示モジュールであって、当該情報表示モジュールの視方向全面に直線偏光板が配置されていることを特徴とする情報表示モジュール。
【請求項２】
前記反射性を有する発光型の表示装置の表示面に、１／４波長補正板が、当該波長補正板の光軸方向が前記直線偏光板の偏光軸と約４５度の角度をなすように配置されていることを特徴とする請求項１に記載の情報表示モジュール。
【請求項３】
請求項１に記載の情報表示モジュールであって、前記直線偏光板に、１／４波長補正板が、当該波長補正板の光軸方向が前記直線偏光板の偏光軸と約４５度の角度をなすように重ねて配置されていることを特徴とする情報表示モジュール。
【請求項４】
前記自ら発光しない表示装置の近傍に、当該表示装置の表示面を照射可能な光源が配置されていることを特徴とする請求項３に記載の情報表示モジュール。
【請求項５】
前記自ら発光しない表示装置の表示面に、１／４波長補正板が、当該波長補正板の光軸方向が前記直線偏光板の偏光軸と約４５度の角度をなすように配置されていることを特徴とする請求項３に記載の情報表示モジュール。
【発明の詳細な説明】
【技術分野】
【０００１】
本発明は、発光型の表示装置と自らは発光しない表示装置とを含む情報表示モジュールに関する。
【背景技術】
【０００２】
視覚により情報を伝達する表示装置には、自らは発光せずに当該表示装置の外部から照射される光の反射により表示するタイプと、自ら発光する発光タイプのものとがある。発光タイプのものは、構造は複雑であるが表示可能な情報量が多いため、最近では屋外での使用を前提としたものも含めて需要が増加している。
発光タイプの表示装置を屋外で使用する際に問題となるものの１つに、装置内の電極板等が外部から照射される光を反射することによる（コントラストの低下等の）表示性能の低下がある。上述の反射を抑制する手段として、例えば特許文献１には、
当該表示装置の視方向の面すなわち表示面に直線偏光板と１／４波長補正板（直行する偏光成分間に１／４波長の位相差を与える素子。以下、「１／４波長板」と称する。）を積層して円偏光板を形成することで、反射光が表示装置外部へ出射することを抑制する方法が開示されている。
【０００３】
【特許文献１】特開平０９−１２７８８５号公報
【発明の開示】
【発明が解決しようとする課題】
【０００４】
しかし、上述の反射の抑制方法は、反射型の表示装置と発光型の表示装置とを組み合わせた情報表示モジュールにおいては、双方の表示装置間の継ぎ目が目立ち適用が困難である。一方で、反射型の表示装置の表示性能を確保し、同時に発光型と反射型の双方の表示装置間の継ぎ目を目立たなくするために上記モジュール全面に半透過板を配置すると、発光型の表示装置の反射の抑制が不十分となる。また、上記発光型の表示装置表面の外光反射を無くすために当該情報表示モジュール表面に円偏光板をさらに配置すると、当該発光型表示装置の光量を増加させる必要が生じ、消費電力や寿命の点で課題が生じる。
本発明はかかる課題を解消するべくなされたもので、継ぎ目が目立たずに、かつ表示性能の低下も少ない情報表示モジュールを提供することを目的とする。
【課題を解決するための手段】
【０００５】
上記課題を解決するために、本発明の情報表示モジュールは、反射性を有する発光型の表示装置と、自ら発光しない表示装置と、を含む情報表示モジュールであって、当該モジュールの視方向全面に直線偏光板が配置されていることを特徴とする。
直線偏光板のもつ半透過特性により、上記情報表示モジュールは、当該モジュールの外部から照射される光（以下、「外光」と称する。）のうち内部に入射する光を１／２弱に抑制できる。一方上記情報表示モジュールの内部で生じた光のうちの１／２弱を当該モジュールの外部ヘ出射できる。したがって、上述する双方の型の表示装置の視認性を維持しつつ、反射性を有する発光型の表示装置の反射を抑制して当該発光型の表示装置とその周辺領域との継ぎ目を目立たなくできる。
【０００６】
好ましくは、上記反射性を有する発光型の表示装置の表示面に、１／４波長板が、当該波長板の光軸方向が上記直線偏光板の偏光軸と約４５度の角度をなすように配置されている。ここで「約」という言葉についての説明だが、４５度から配置がずれてくると遮光できる光量が減ってコントラストが低下する。しかし求められるコントラストを満たすなら、前記ずれ量が許容される。通常ディスプレイ用途であれば、４５度からのずれ量は±１〜２度程度で許容される。
直線偏光板の半透過特性により、自ら発光しない表示装置の視認性を確保しつつ、上記発光型の表示装置と、その周辺領域との継ぎ目を目立たなくできる。また、上記反射性を有する発光型の表示装置の表示面には、直線偏光板と１／４波長板との組合せにより円偏光板が形成されるので、自らの発光による視認性を確保しつつ外光の反射を高いレベルで抑制できる。したがって、反射性を有する発光型の表示装置と自ら発光しない表示装置とを含む、表示性能の高い情報表示モジュールを得ることができる。
【０００７】
また好ましくは、上記直線偏光板に、１／４波長板が、当該波長板の光軸方向が上記直線偏光板の偏光軸と約４５度の角度をなすように重ねて配置されている。
また好ましくは、上記自ら発光しない表示装置の近傍に、当該表示装置の表示面を照射可能な光源が配置されている。
全面に円偏光板が形成されるため、発光型の表示装置の視認性を確保しつつ、反射性を有する発光型の表示装置の表示面と、その周辺の領域との継ぎ目を目立たなくできる。また、光源により自ら発光しない表示装置の表示面に光を照射できるので、外光の（モジュール内への）入射が抑制されているにもかかわらず、当該表示装置の視認性を確保できる。したがって、反射性を有する発光型の表示装置と自ら発光しない表示装置とを含む、表示性能の高い情報表示モジュールを得ることができる。
【０００８】
また好ましくは、上記自ら発光しない表示装置の表示面に、１／４波長板が、当該波長板の光軸方向が上記直線偏光板の偏光軸と約４５度の角度をなすように配置されている。
全面に円偏光板が形成されるため、発光型の表示装置の視認性を確保しつつ、反射性を有する発光型の表示装置の表示面と、その周辺の領域との継ぎ目を目立たなくできる。また、上記自ら発光しない表示装置の表示面には直線偏光板と１／２波長板が積層されることとなるので、外部から当該表示面に照射される光を１／２弱は反射でき、視認性を確保できる。したがって、表示性能の高い、反射性を有する発光型の表示装置と自ら発光しない表示装置とを含む情報表示モジュールを得ることができる。
【発明を実施するための最良の形態】
【０００９】
上述したように、本発明は発光型の表示装置と自らは発光しない表示装置とを組み合わせた情報表示モジュールにかかるものである。本実施形態では反射性を有する発光型の表示装置として有機エレクトロルミネッセンス（以下、「有機ＥＬ」と称する。）表示装置を用いたものについて述べる。
（有機ＥＬ表示装置）
【００１０】
図１は有機ＥＬ表示装置１０の全体構成を示す回路図である。各々が独立に制御される、赤色光、緑色光、青色光を発光する３タイプの有機ＥＬ装置をマトリクス状に配列してカラー表示を可能にした、アクティブマトリクス型の有機ＥＬ表示装置である。
【００１１】
本有機ＥＬ表示装置は画像表示領域と周辺部に大別できる。画像表示領域１００には、複数の走査線１０２と、当該走査線と直交する複数の信号線１０４と、当該信号線と平行に延びる複数の電源供給線１０６が形成されている。画像表示領域１００の周辺には、走査線駆動回路１２０、及び信号線駆動回路１３０が形成されている。走査線１０２には、走査線駆動回路１２０から、図示しない外部回路より供給される各種信号に応じて走査信号が順次供給される。そして、信号線１０４には信号線駆動回路１３０から画像信号が供給され、電源供給線１０６には図示しない外部回路から画素駆動電流が供給される。走査線１０２と信号線１０４との交点近傍には有機ＥＬ装置２００が配置されている。
【００１２】
各々の有機ＥＬ装置２００は、走査線１０２を介して走査信号がゲート電極に供給されるスイッチング用ＴＦＴ１０８と、当該ＴＦＴを介して信号線１０４から供給される画素信号を保持する保持容量１１０と、保持容量１１０によって保持された画素信号がゲート電極に供給される駆動用ＴＦＴ１１２と、駆動用ＴＦＴ１１２を介して電源供給線１０６から駆動電流が流れ込む有機ＥＬ素子２０２と、からなる。有機ＥＬ素子２０２は、赤色光を発光する赤色発光素子２０２Ｒ、緑色光を発光する緑色発光素子２０２Ｇ、および青色光を発光する青色発光素子２０２Ｂ、の３タイプがある。そして、夫々が上記各要素と共に赤色光を発光する赤色発光装置２００Ｒ、緑色光を発光する緑色発光装置２００Ｇ、および青色光を発光する青色発光装置２００Ｂ、の３タイプの有機ＥＬ装置を構成している。スイッチング用ＴＦＴ１０８は画像表示領域１００内で個々に独立して制御でき、駆動用ＴＦＴ１１２は駆動電流を段階的に制御できるので、本実施形態の表示装置はカラー表示が可能である。
（有機ＥＬ素子）
【００１３】
図２は有機ＥＬ装置２００を構成する要素である駆動用ＴＦＴ１１２と、有機ＥＬ素子２０２の断面図である。
【００１４】
本実施形態の有機ＥＬ装置２００はボトムエミッション方式であり、基板側から発光光を取り出す構造なので、基板２０は石英、プラスチック、ガラス等の透光性材料で形成されている。基板２０上には駆動用ＴＦＴ１１２が形成されており、当該ＴＦＴを覆う絶縁層を介して有機ＥＬ素子２０２が形成されている。有機ＥＬ素子２０２は、周囲を隔壁で囲まれた機能層２３６と、駆動用ＴＦＴ１１２に電気的に接続される陽極としての画素電極２３０、および複数の機能層の陰極側を共通電位とする共通電極２４２等で構成されている。
【００１５】
駆動用ＴＦＴ１１２は、半導体層２０４に形成されたソース領域２０６、ドレイン領域２０８、及びチャネル領域２１０と、半導体層表面に形成されたゲート絶縁膜２１２を介してチャネル領域に対向するゲート電極２１４等で構成されている。駆動用ＴＦＴ１１２の上層には、第１層間絶縁膜２２４が形成されており、当該第１層間絶縁膜を貫通して半導体層２０４に達する第１のコンタクトホール２１６、および第２のコンタクトホール２１８が形成されている。双方のコンタクトホール内にはそれぞれソース電極２２０、ドレイン電極２２２が形成され、各々の電極はソース領域２０６、ドレイン領域２０８に導通している。
【００１６】
第１層間絶縁膜２２４の上層には、第２層間絶縁膜２２６が形成されており、この第２層間絶縁膜２２６に形成された第３のコンタクトホール２２８に、陽極としての画素電極２３０の一部が埋設されている。画素電極２３０とドレイン電極２２２とが導電接続されることで、駆動用ＴＦＴ１１２と画素電極２３０とが電気的に接続され、当該画素電極の周縁部に一部乗り上げるようにして隔壁２４０が形成されている。画素電極２３０を底部とし隔壁２４０で囲まれて形成される凹部内には正孔注入層２３２と有機ＥＬ層２３４が積層され、当該２層で機能層２３６となる。そして機能層の上層には少なくとも画像表示領域１００上全面を覆う陰極としての共通電極２４２が形成されている。
【００１７】
正孔注入層２３２は発光層への電荷輸送性を高め発光効率を向上させることを目的に配置される層であり、その形成材料としては、例えば低分子材料としてＴＰＤ、ＮＰＤ、銅フタロシアニン、高分子材料としてポリピロール、ポリアニリン、ポリアセチレン、ポリチオフェンやその誘導体等が用いられる。有機ＥＬ層２３４の形成材料としては、例えば低分子材料としてＡｌｑ３、ＤＰＶＢｉ、およびこれらにＮｉｌｅＲｅｄやＤＣＭなどのドーパントを添加した系や他の発光し得る低分子材料、また高分子材料として（ポリ）フルオレン誘導体（ＰＦ）、（ポリ）パラフェニレンビニレン誘導体（ＰＰＶ）、ポリフェニレン誘導体（ＰＰ）、ポリパラフェニレン誘導体（ＰＰＰ）、ポリビニルカルバゾール（ＰＶＫ）、ポリチオフェン誘導体、ポリメチルフェニルシラン（ＰＭＰＳ）等が用いられる。低分子系は蒸着法や湿式法、高分子系は湿式法にて製膜できる。
【００１８】
上述したように本実施形態の有機ＥＬ表示装置１０はボトムエミッション方式であり、基板側から発光光を取り出す構造なので、画素電極は透明導電材料で形成される。透明導電材料としてはＩＴＯ（酸化インジウム・スズ合金）が好ましく、その他酸化インジウム・亜鉛合金等を用いてもよい。この他トップエミッション構造でも同様に用いることができ、その場合、基板側から陽極を積層する場合では、画素領域において反射層（パシベーション層）陽極として上述の導電性金属酸化層としてＩＴＯや酸化インジウム・亜鉛合金などを用いることができる。
ボトムエミッション構造での共通陰極は、各々の有機ＥＬ素子の陰極側をゼロ電位とする機能の他に反射板としての機能も必要なため、ＡＬ（アルミニウム）等の金属材料が好ましい。機能層から発光する光は陽極側（基板側）と陰極側とにほぼ均等に出射する。ボトムエミッションの有機ＥＬ装置では基板側が視方向となるので、機能層から陰極側に向けて出射する光も基板側に導いて利用することが好ましい。そこで、陰極に反射板としての機能も持たせ発光光を効率的に利用することで機能層の通電量を下げて、有機ＥＬ素子としての寿命を向上させ消費電力も抑制している。
しかし上述の反射板としての機能は外部から装置内に入射する光に対しても発揮されるので、後述するように、特に屋外で使用する場合には外光の反射が問題となる。トップエミッション構造の場合、共通陰極越しに発光を取り出すため、共通陰極は透明である必要がある。通常、陰極としてはＭｇＡｇやＬｉＦ／Ａｌなどを用い、これらの金属層を薄膜化して光を取り出している。本発明においては、カラー表示を行う方式としては、ＲＧＢ発光画素に対応する発光材料を各画素領域に形成する方式の他、ＲＧＢ発光画素に共通して同一の発光層を形成し、カラーフィルターや色変換層を配置して各ＲＧＢ発光画素に対応した発光色を取り出す方式も適用できる。
（情報表示モジュール）
【００１９】
図３は、上述した反射性を有する発光型の表示装置としての有機ＥＬ表示装置１０と、自らは発光しない表示装置としての機械式メータ３０と、を組み合わせた情報表示モジュールの概要を示す模式図である。図３（ａ）が正面図、図３（ｂ）がＡ―Ａ´線における断面図である。
図３（ｂ）に示すように、機械式メータ（以下、「メータ部」と称する。）３０は、駆動部３２によって円弧状に動作する針３４と、目盛板３６等とからなっており、外光の反射により情報を表示する。そして、モジュール全体は、カバー３８で覆われている。ここで、有機ＥＬ表示装置１０が配置されている領域を第１の領域１２として、その周囲の領域を第２の領域１４とする。第１の領域１２は外光の反射をできる限り抑制すべき領域であり、第２の領域１４は外光をある程度は反射させる必要がある領域である。また、情報表示モジュールとしての質感を向上させるためには、上記双方の領域の継ぎ目（境界）をできる限り目立たなくすることが好ましい。なお、ここで言う反射とは、モジュール外部からモジュール内部に入射した外光が、再びモジユール外部へと出射することである。
【００２０】
有機ＥＬ表示装置１０が位置する第１の領域１２の外光反射を低減するために、モジュール全体において外光の入射を強く抑制すると、メータ部３０の視認性が劣化する。また、第１の領域１２のみ外光の反射を抑制すると、双方の領域間の継ぎ目が目立つ。
【００２１】
図４は、上述の課題を解消すべく半透過板と、直線偏光板と波長補正板とからなる円偏光板を組み合わせた従来の情報表示モジュールの概要を示す模式図である。図４（ａ）は図３（ｂ）と同様の断面図であり、駆動部、針等は図示を省略している。図４（ｂ）は、有機ＥＬ表示装置上の円偏光板を距離をおいて配置し、外光の反射を判り易く示した模式図である。図４（ａ）に示すように、カバーには半透過板３９が用いられ、有機ＥＬ表示装置１０の表示面には円偏光板４０が配置されている。その結果、図４（ｂ）に示すようにメータ部３０に照射され、反射により当該モジュールの外部に出射される第１の外光４１は、半透過板を２回透過することで１／４弱まで抑制される。そして、有機ＥＬ表示装置１０に照射される第２の外光４２は、円偏光板４０によりほぼ完全に反射が抑制される。
【００２２】
しかし、有機ＥＬ表示装置１０から発光する発光光４３は円偏光板４０により１／２以下に強度が低下した上で半透過板３９を透過してさらに１／２以下になるため、当初の発光光は強く低下して出射する。そして、その低下を補填するために、もともとの発光の強度を増加させると、当該有機ＥＬ表示装置の寿命を損ねることとなる。以下に述べる各実施形態は、有機ＥＬ表示装置１０の発光の強度の増加を抑制しつつ上記の課題を解決するものである。
（第１の実施形態）
【００２３】
図５に、本発明の第１の実施形態にかかる情報表示モジュールを示す。上述の図３（ｂ）と同様の線における断面図であり、上述の図４と同様にメータ部３０の駆動機構等は図示を省略している。
本実施形態にかかる情報表示モジュールの表示面のカバー５０は直線偏光板で形成されている。そして有機ＥＬ表示装置１０の表示面には１／４波長板５４が、当該波長板の光軸方向が直線偏光板５０の偏光軸と約４５度の角度をなすように配置されている。したがって、第１の領域１２（図３参照）には直線偏光板と１／４波長板５４とからなる円偏光板が配置され、第２の領域１４には直線偏光板が配置されることになる。
直線偏光板は、光の特定方向の振動成分しか透過させないので、半透過特性を有する。したがって、メータ部３０を含む第２の領域１４に向かって光を外部から入射する第１の外光５１は、１／２弱が情報表示モジュール内に到達し、振動方向を維持したまま外部に向けて反射する。したがって、第２の領域１４ではメータ部３０の視認性を確保しつつ、外光の反射を抑制できる。
【００２４】
有機ＥＬ表示装置１０の表示面には、直線偏光板からなるカバー５０と１／４波長板５４が配置され、円偏光板が形成されている。円偏光板は右回り、または左回りのうちのどちらか方向の成分のみを透過させる性質を有する。また、光は反射時に回転方向が逆転する性質を有する。
有機ＥＬ表示装置１０が形成されている第１の領域１２に向かってを外部から入射する第２の外光５２は、１／２弱が当該領域に到達し、外部に向けて反射する点は第１の外光５１と同様である。しかし、円偏光の光は反射により回転方向が逆転するので、反射後の外光は上述する円偏光板で吸収され、情報表示モジュール外部ヘ出射することはない。したがって、本実施形態の情報表示モジュールは、第１の領域１２において外光の反射をほぼ完全に抑制できる。
上述したように反射をできる限り抑制したい第１の領域１２の周辺の領域では外光の反射は１／２弱に抑制されているので、情報表示モジュール全体としては外光を反射する領域と反射しない領域とには完全に分離されない。したがって、第１の領域１２と第２の領域１４の継ぎ目を目立たなくすることができる。
【００２５】
一方、有機ＥＬ表示装置１０の点燈時すなわち発光状態において発光光５３は反射を経ずに直接表示装置外部ヘ出射する。つまり、発光光５３はどちらかの回転方向の成分が、カバー５０と１／４波長板５４とからなる円偏光板を透過して情報表示モジュール外へ出射するので、発光光５３の１／２弱が出射する。したがって本実施形態の情報表示モジュールを形成する有機ＥＬ表示装置１０は、視認性を確保しつつ外光の反射を高いレベルで抑制できる。
以上述べたように、本実施形態の情報表示モジュールは、自ら発光しない表示装置としての機械式のメータ部３０の視認性を確保しつつ、反射性を有する発光型の表示装置である有機ＥＬ表示装置１０との継ぎ目を目立たなくできる。また、有機ＥＬ表示装置１０の発光強度を過度に上げることなく、電極板による外光の反射を抑制できる。したがって、本実施形態にかかる情報表示モジュールは、高い表示性能を発揮できる。自発光型インジケータがある場合には、その表面にも１／４波長板を配置すると、同様に表面反射を抑えることができる。
（第２の実施形態）
【００２６】
図６に、本発明の第２の実施形態にかかる情報表示モジュールを示す。上記の図３（ｂ）と同様の線における断面図であり、上記の図４と同様にメータ部３０の駆動機構等は図示を省略している。
本実施形態にかかる情報表示モジュールのカバー５０は、直線偏光板で形成され、それに加えて全面に１／４波長板５５が貼付され２層構造となっている。カバー５０の直線偏光板の偏光軸と１／４波長板５５の光軸方向とが約４５度の角度をなすように積層され、円偏光板となっている。したがって、第１の領域と、第２の領域の双方が円偏光板で覆われている。そしてメータ部３０の近傍には、光源５６が、当該メータ部に光を照射できるように配置されている。なお、左側の光源からの光は図示を省略している。
【００２７】
本実施形態にかかる情報表示モジュールは、全面が円偏光板で覆われている。そのため、外部から第２の領域１４に向かってを入射する第１の外光６１、および第１の領域１２に向かって光を入射する第２の外光６２の、外部ヘ向けて出射は、ほぼ完全に抑制される。
また、モジュールの内部に、メータ部３０に光を照射できる光源５６が配置されているため、外光の反射がほぼ完全に抑制されているにもかかわらず、メータ部３０に光を照射して、その反射光６４を情報表示モジュールの外部に出射できる。
また、有機ＥＬ表示装置１０の上面は第１の実施形態にかかる情報表示モジュールと同様に円偏光板で覆われているため、発光光６３のうちの１／２弱を、情報表示モジュールの外部に出射できる。そのため発光強度を過度に高めることなく、視認性を確保できる。
したがって、本実施形態の情報表示モジュールは、有機ＥＬ表示装置１０の発光強度を過度に増加させることなく外光の反射の抑制と視認性の確保を両立でき、高い表示性能を発揮できる。
（第３の実施形態）
【００２８】
図７に、本発明の第３の実施形態にかかる情報表示モジュールを示す。上記の図３（ｂ）と同様の線における断面図であり、上記の図４と同様にメータ部３０の駆動機構等は図示を省略している。
本実施形態にかかる情報表示モジュールのカバー５０は、第２の実施形態のカバーと同様に直線偏光板で形成され、それに加えて全面に１／４波長板５５が添付され２層構造となっている。カバー５０の直線偏光板の偏光軸と１／４波長板５５の光軸方向とが約４５度の角度をなすように積層されている点も同様である。そして、メータ部３０の上面には１／４波長板５７が、上記カバーを形成している１／４波長板５５と光軸方向が一致するように配置されている。
有機ＥＬ表示装置１０の上面は円偏光板が形成されているため、当該装置の発光光７３は１／２弱は出射でき、視認性は確保される。また、メータ部３０を除く第２の領域１４と、第１の領域１２とに照射される第２の外光７２は、反射により情報表示モジュール外部へ出射することがほぼ完全に抑制されるため、第１の領域１２と第２の領域１４との継ぎ目を目立たなくできる。
【００２９】
一方、メータ部３０の上面にはカバー５０としての直線偏光板に加えて１／４波長板５５が２層配置されるため、直線偏光板と１／２波長板の組合せが形成されている。メータ部３０に照射される第１の外光７１は、表示面で反射して情報表示モジュールの外部へ出射するので、１／２波長板を２回通過し、振動方向が１８０度ひねられる。したがって、上記直線偏光板を透過した光は、振動方向が同一のままで再度上記直線偏光板に到達しそのまま透過する。つまり、最初に直線偏光板を透過する際に１／２弱が透過した後は、反射を経ても大きくは減少することなく情報表示モジュールの外部に出射する。したがって本実施形態にかかる情報表示モジュールはカバーが円偏光板で形成されているにもかかわらず、反射性を有する発光型の表示装置と、自ら発光しない表示装置の双方の視認性を確保でき、有機ＥＬ装置の発光強度を過度に増加させることなく、高い表示性能を発揮できる。
（変形例）
【００３０】
上記第１から第３の実施形態では、反射性を有する発光型の表示装置としてカラー表示が可能な有機ＥＬ装置を用いた。しかし本発明は同じく反射性の電極を有する無機ＥＬ装置にも適用可能である。また、モノクロ（白黒）表示の装置に対しても同様に適用可能である。
【図面の簡単な説明】
【００３１】
【図１】有機ＥＬ表示装置の全体構成を示す回路図。
【図２】有機ＥＬ装置を構成する要素である駆動用ＴＦＴと有機ＥＬ素子の断面図。
【図３】有機ＥＬ表示装置と機械式メータとを組み合わせた情報表示モジュールの概要を示す模式図。
【図４】従来の情報表示モジュールの概要を示す模式図。
【図５】本発明の第１の実施形態にかかる情報表示モジュールを示す図。
【図６】本発明の第２の実施形態にかかる情報表示モジュールを示す図。
【図７】本発明の第３の実施形態にかかる情報表示モジュールを示す図。
【符号の説明】
【００３２】
１０…有機ＥＬ表示装置、１２…第１の領域、１４…第２の領域、２０…基板、３０…メータ部、３２…駆動部、３４…針、３６…目盛板、３８…カバー、３９…半透過板、４０…円偏光板、４１…第１の外光、４２…第２の外光、４３…発光光、５０…カバー、５１…第１の外光、５２…第２の外光、５３…発光光、５４…１／４波長板、５５…１／４波長板、５６…光源、５７…１／４波長板、６１…第１の外光、６２…第２の外光、６３…発光光、６４…反射光、７１…第１の外光、７２…第２の外光、７３…発光光、１００…画像表示領域、１０２…走査線、１０４…信号線、１０６…電源供給線、１０８…スイッチング用ＴＦＴ、１１０…保持容量、１１２…駆動用ＴＦＴ、１２０…走査線駆動回路、１３０…信号線駆動回路、２００…有機ＥＬ装置、２０２…有機ＥＬ素子、２０４…半導体層、２０６…ソース領域、２０８…ドレイン領域、２１０…チャネル領域、２１２…ゲート絶縁膜、２１４…ゲート電極、２１６…第１のコンタクトホール、２１８…第２のコンタクトホール、２２０…ソース電極、２２２…ドレイン電極、２２４…第１層間絶縁膜、２２６…第２層間絶縁膜、２２８…第３のコンタクトホール、２３０…画素電極、２３２…正孔注入層、２３４…有機ＥＬ層、２３６…機能層、２４０…隔壁、２４２…共通電極。
【図１】
2008089682.tif 000003
【図２】
2008089682.tif 000004
【図３】
2008089682.tif 000005
【図４】
2008089682.tif 000006
【図５】
2008089682.tif 000007
【図６】
2008089682.tif 000008
【図７】
2008089682.tif 000009